(57)【要約】      （修正有）【課題】シートバックの前倒し後の復帰作動時に所定の基準位置に復帰してロックする定点復帰機能を有するリクライニング装置を提供する。【解決手段】ベースプレート１とベースプレートに対して回転可能に結合されたギヤプレート３とを備え、ベースプレートとギヤプレートとの間にカム４の回動によりギヤプレートの内歯に係脱可能な外歯１１を有すると共にカム突起１４を備えたロックギヤ５と、カムに回動可能に係合されかつカム突起に係合するカム孔１３を有するレバープレート６と、レバープレート上に配置されロックギヤの外歯をギヤプレートの内歯に噛合するようにカムを付勢するロックスプリング１７と、ギヤプレートに回転可能に係合されかつロックギヤのカム突起と係合可能なメモリーリング７と、ギヤプレートに回動可能に取付けられかつメモリーリングに付設されたメモリーカム８とを配設してある。【選択図】図１
2010046395.tif 000002
【特許請求の範囲】
【請求項１】
ベースプレートと該ベースプレートに対して回動可能に結合されたギヤプレートとを備え、該ベースプレートとギヤプレートとの間にカムの回動によりギヤプレートの内歯に係脱可能な外歯を有すると共にカム突起を備えたロックギヤと、カムに係合されかつカム突起と係合するカム孔を有するレバープレートと、レバープレート上に配置されかつロックギヤの外歯をギヤプレートの内歯に噛合するようにカムを付勢するロックスプリングと、ギヤプレートに回転可能に係合されかつロックギヤのカム突起と係合可能なメモリーリングと、ギヤプレートに回動可能に取付けられかつメモリーリングに付設されたメモリーカムとを配設し、
メモリーリングには初段ロック位置から前倒し位置までロックオフ状態を保持するためロックギヤのカム突起が乗り上がるフリー部と、前倒し後の復帰作動時基準位置においてロックギヤのカム突起がフリー部から落下してロックギヤの外歯をギヤプレートの内歯に噛合させる段部とを設け、
メモリーカムには一端に前倒し後の復帰作動時にメモリーリングの回転を規制するためにメモリーリングに形成した係合段部に係合する係合フックを備えると共にその他端に基準位置において該係合フックとメモリーリングの係合を外す突出端を備え、
メモリーリングをギヤプレートに円弧状突起部と円弧状凹部とにより係合させ、円弧状突出部と円弧状凹部とが前倒し側で係合すると共に前倒し側と対向する側で一定の遊びを有するようにメモリーリングを付勢しかつメモリーカムの係合フックがメモリーリングの係合段部に係合するようにメモリーカムを付勢するメモリースプリングをメモリーリングとメモリーカムとに係止させ、
前倒し後の復帰作動時基準位置において、ロックギヤの外歯がギヤプレートの内歯に噛合する際に、メモリーカムの突出端に係合してメモリーカムの係合フックをメモリーリングの係合段部から離脱させてメモリーリングを前倒し側に復帰させる起立部をレバープレートに備えたことを特徴とする定点復帰機能を有するリクライニング装置。
【発明の詳細な説明】
【技術分野】
【０００１】
本発明はシートバックの前倒し後の復帰作動時に所定の基準位置に復帰してロックする定点復帰機能を有するリクライニング装置に関するものである。
【背景技術】
【０００２】
この種の定点復帰機能を有するリクライニング装置は特開２００４−１７３９２２号公報（特許文献１）から公知である。この公知のリクライニング装置は円形のハウジングと円形のカバーとにより形成されている内部空間内に一対のラッチと、該ラッチに係合するカムと、該カムに作用する渦巻きバネと、カムと一体のカムディスクと、ラッチの誘導ピンによりカムディスクに係合するメモリーディスクと、カバーと共に回転するあてがいプレートとを収容させてある。定点位置においてはカムが渦巻きバネにより一対のラッチを径外方向に押圧し、カムの誘導ピンをカムディスクのカム穴の斜め上端部に挿入させると共にメモリーディスクの制御穴の中間点穴部分に挿入させ、ラッチのギヤ歯がカバーのギヤ歯に噛合することにより、シートバックがロック状態を保持するようになっている。作動軸の回動によりカムを回転させてラッチの誘導ピンをカムディスクのガイド穴の斜め下端部に移動させることにより、カバーのギヤ歯からラッチのギヤ歯を外し、カバーはロックオフ状態となり、ハウジングとすれ違い回転可能になる。シートバックの前倒しにおいてはカバーのすれ違い回転によりあてがいプレートがメモリープレートを押し送りするため、ラッチの誘導ピンがカムディスクのガイド穴の斜め下端部に受け入れられたままでメモリーディスクの制御穴の中間点穴部分から後穴部分に受け入れられるため、カバーはロックオフ状態を保持したままシートバックの前倒し位置まですれ違い回転する。シートバックは前倒し位置においてもロックオフ状態に保持されているので、シートバックを起こすだけで、カバーがハウジングとすれ違い回転し、あてがいプレートがメモリープレートを逆方向に押し送りし、シートバックが定点位置にもどると、メモリーディスクがラッチの誘導ピンを制御穴の中間点穴部分に挿入させ、カムが渦巻きバネのバネ力でラッチを径外方向に押圧するように回転し、ラッチのギヤ歯がカバーのギヤ歯と噛合し、カバーがロック状態となるから、シートバックは定点位置でロックされる。
【０００３】
【特許文献１】特開２００４−１７３９２２号公報
【発明の開示】
【発明が解決しようとする課題】
【０００４】
上述した従来技術のリクライニング装置はシートバックの前倒し後の復帰作動時に定点位置までロックオフ状態を保持させるためにカムディスクにガイド穴を形成すると共にメモリーディスクに制御穴を形成し、カムディスクのガイド穴とメモリーディスクの制御穴との整合によりラッチの誘導ピンを案内するようにしてあるが、シートバックが前倒し後に定点位置に復帰する際に、ラッチの誘導ピンとメモリーディスクの制御穴との摩擦力及びカムが渦巻きバネのバネ力でラッチを径外方向に押圧する力のバラつきにより、ラッチの誘導ピンがメモリーディスクの中間点の穴部分に落下し始める位置にズレが発生して、誘導ピンがカムディスクのガイド穴の斜め上端部に到達する位置にバラつきが生じるので、シートバックが所定の基準位置、即ち定点位置に常に正確に復帰できない欠点がある。
【０００５】
本発明の目的はメモリーカムによりメモリーリングの回転を規制することによりロックギヤのカム突起がメモリーリングのフリー部から落下し始める位置のズレをなくし、シートバックが所定の基準位置に常に正確に復帰する定点復帰機能を有するリクライニング装置を提供することにある。
【課題を解決するための手段】
【０００６】
本発明によるリクライニング装置はベースプレートと該ベースプレートに対して回動可能に結合されたギヤプレートとを備え、該ベースプレートとギヤプレートとの間にカムの回動によりギヤプレートの内歯に係脱可能な外歯を有すると共にカム突起を備えたロックギヤと、カムに係合されかつカム突起と係合するカム孔を有するレバープレートと、レバープレート上に配置されロックギヤの外歯をギヤプレートの内歯に噛合するようにカムを付勢するロックスプリングと、ギヤプレートに回転可能に係合されかつロックギヤのカム突起と係合可能なメモリーリングと、ギヤプレートに回動可能に取付けられかつメモリーリングに付設されたメモリーカムとを配設させてある。メモリーリングは初段ロック位置から前倒し位置までロックオフ状態を保持するためにロックギヤのカム突起が乗り上がるフリー部と、前倒し後の復帰作動時基準位置においてロックギヤのカム突起がフリー部から落下してロックギヤの外歯をギヤプレートの内歯に噛合させる段部とを備えている。メモリーカムは一端に前倒し後の復帰作動時にメモリーリングの回転を規制するためにメモリーリングに形成した係合段部に係合する係合フックを有すると共にその他端に基準位置において該係合フックとメモリーリングの係合段部との係合を外す突出端を有している。メモリーリングとギヤプレートとは円弧状突起部と円弧状凹部とにより係合され、該円弧状突起部と円弧状凹部とが前倒し側で係合すると共に前倒し側と対向する側で一定の遊びを有するようにメモリーリングを付勢しかつメモリーカムの係合フックがメモリーリングの係合段部に係合するようにメモリーカムを付勢するメモリースプリングがメモリーリングとメモリーカムに係止されている。前倒し後の復帰作動時レバープレートは基準位置においてロックギヤの外歯がギヤプレートの内歯に噛合する際にメモリーカムの突出端に係合してメモリーカムの係合フックをメモリーリングの係合段部から離脱させてメモリーリングを前倒し側に復帰させる起立部を備えている。
【発明の効果】
【０００７】
本発明によるリクライニング装置においては、シートバックが前倒し後に基準位置に復帰する際に、メモリーカムの係合カムをメモリーリングの係合段部に係合させてメモリーリングの回転を規制することで、メモリーリングに加わる力（ロックギヤのカム突起との摩擦力及びメモリースプリングの付勢力）のバラツキの影響を受けることなく、ロックギヤのカム突起をフリー部から段部に正確に誘導するので、カム突起がフリー部から段部に落下する位置のズレの発生がないため、シートバックを所定の基準位置に常に正確に復帰させることができる。
【発明を実施するための最良の形態】
【０００８】
本発明によるリクライニング装置は円形のベースプレート１と該ベースプレート１に対して回動可能にカバーブラケット２により結合された円形のギヤプレート３とを備え、ベースプレート１とギヤプレート３との間の内部空間内にはカム４に係合している一対のロックギヤ５と、カム４と一体に回動するレバープレート６と、ギヤプレート３に係合するメモリーリング７と、ギヤプレート３に回動可能に取付けられた一対のメモリーカム８とを配設してある。
【０００９】
ロックギヤ５はベースプレート１に形成した固定ガイド９間を摺動可能であると共に直径方向に互い対向して配置され、その外周端にはギヤプレート３に形成した内歯１０に係脱可能な外歯１１を設け、その内周端を操作軸１２により回動されるカム４に係合してあり、その側部には可動ガイド５ａを取付け、更にその上面にはレバープレート６に形成したカム孔１３により径内方向に摺動されるカム突起１４を突設してある。可動ガイド５ａの上面にもレバープレート６に形成したカム孔１３ａにより径外方向に摺動されるカム突起１４ａを形成してある。
【００１０】
カム４は操作軸１２により回動可能であり、その上端及び下端をロックギヤ５に係合させ、その上面にはレバープレート６に形成した係合孔１５に嵌合させる突起１６を突設してある。
【００１１】
レバープレート６はカム４の突起１６に嵌合する係合孔１５を備えると共にロックギヤ５のカム突起１４に係合するカム孔１３と可動ガイド５ａのカム突起１４ａに係合するカム孔１３ａとを設け、その上面上には一端をカム４に係止させかつ他端を可動ガイド５ａに係止させたロックスプリング１７を配設し、該ロックスプリング１７はロックギヤ５の外歯１１がギヤプレート３の内歯１０に噛合するようにカム４と可動ガイド５ａとを付勢させてある。カム４とレバープレート６が操作軸１２により回動されると、カム孔１３及び１３ａによりカム突起１４が径内方向に移動し、カム突起１４ａが径外方向に摺動され、ロックギヤ５を径内方向に移動させ、可動ガイド５ａを径外方向に移動させてロックギヤ５の外歯１１とギヤプレート３の内歯１０から離脱させてロックオフにするようになっている。更にレバーアーム６にはメモリーカム８に形成した突出端１８に係合する起立部１９を備えている。
【００１２】
メモリーリング７はその内周端にシートバックのほぼ直立の初段ロック位置からの前倒し作動時にロックギヤ５のカム突起１４に乗り上がるフリー部２０を形成し、フリー部２０には一端にカム突起１４が落下する段部２１を備えると共に他端にメモリーカム８に形成した係合フック２２が係合する係合段部２３とを備えている。更にメモリーリング７はその外周端にギヤプレート３に形成した円弧状突起分２４に係合する円弧状凹部２５を形成してあり、円弧状凹部２５はギヤプレート３の円弧状突起部２４よりもその長さを長くしてあり、一定の遊びを有して該円弧状突起部２４に係合され、その対向端部に係合端２６を有している。前倒し作動時及び前倒し後の復帰作動時にフリー部２０にロックギヤ５のカム突起１４が乗り上がることにより、操作軸１２を保持しなくても、ギヤプレート３の回転可能なシートバックのロックオフ状態を保持する。
【００１３】
メモリーカム８は一端に係合フック２２を有すると共に他端に突出端１８を備え、ギヤプレート３に設けた回動ピン２７を中心に回動可能にギヤプレート３に取付けられている。メモリーカム８の係合フック２２にはメモリースプリング２８の一端を取付け、メモリースプリング２８の他端をメモリーリング７に係止させ、メモリースプリング２８は回動ピン２７を中心にメモリーカム８を回動させてその係合フック２２をメモリーリング７の内周壁に向けて押圧するように付勢させると共に基準位置においてメモリーリング７の円弧状凹部２５の前倒し側の係合端２６がギヤプレート３の円弧状突起部２４の前倒し側の係合段部２９に当接するようにメモリーリング７を逆時計廻り方向即ち、シートバックの前倒し側に付勢させるようにしてある。
【００１４】
ギヤプレート３はロックギヤ５の外歯１１に係脱可能な内歯１０を備えると共にメモリーカム８を回動可能に取付ける回動ピン２７を設けてあり、更にメモリーリング７の円弧状凹部２５に係合させる円弧状突起部２４を有している。円弧状突起部２４は円弧状凹部２５よりもその長さを短くしてあり、一定の遊びを有して該円弧状凹部２５に嵌合し、その対向端部に係合段部２９を有し、係合段部２９は前倒し後の復帰作動時においてメモリースプリング２８によりメモリーリング７の前倒し側の係合端２６と係合し、前倒し側と対向する側に係合段部２９と係合端２６との間に一定の遊びを備えている。
【００１５】
本発明によるリクライニング装置を有する車輌用シートにおいては、シートバックの標準的な立上り姿勢の定点位置を基準位置と定め、ほぼ直立の立上り姿勢にある状態を初段ロック位置として示し、以下に本発明のリクライニング装置の作動を説明する。
【００１６】
シートバックの標準的な立上り姿勢にある状態の基準位置において、図３に示すようにロックスプリング１７の付勢力によりカム４を回動させてロックギヤ５を径外方向に摺動させ、ロックギヤ５の外歯１１をギヤプレート３の内歯１０に噛合させることによりシートバックはギヤプレート３が回転できないロック状態を保持している。
【００１７】
基準位置においてシートバックを前倒しする際には、操作軸１２を作動させ、ロックスプリング１７の付勢力に抗してカム４を回動させ、カム４の回動によりレバープレート６が回動して、レバープレート６のカム孔１３とカム孔１３ａとによりロックギヤ５のカム突起１４を径内方向に移動させ、可動ガイド５ａのカム突起１４ａを径外方向に移動させると、ロックギヤ５が径内方向に摺動してその外歯１１とギヤプレート３の内歯１０との噛合が外れ、シートバックはロックオフとなり、ギヤプレート３はベースプレート１とすれ違い回転できるようになり、シートバックの前倒しを行って、図２に示した初段ロック位置で操作軸１２から使用者が手を離すことにより、ロックスプリング１７によりロックギヤ５の外歯１１をギヤプレート３の内歯１０に噛合させてシートバックを初段ロック位置でロックさせることができる。
【００１８】
初段ロック位置後のシートバックの前倒しにおいては、操作軸１２を作動させ、カム４の回動と共にレバープレート６を回動させ、ロックギヤ５のカム突起１４を径内方向に移動させると、ロックギヤ５の外歯１１がギヤプレート３の内歯１０から外れ、シートバックはロックオフとなり、ロックギヤ５のカム突起１４は図２に示したロック状態の位置から径内方向に移動した位置となり、ギヤプレート３が前倒し方向に回転すると、ギヤプレート３の円弧状突起部２４の前倒し側の係合段部２９が係合しているメモリーリング７の円弧状凹部２５の係合端２６を押圧して、ギヤプレート３がメモリーリング７と共に回転し、メモリーリング７のフリー部２０にロックギヤ５のカム突起１４が乗り上がった状態となり、ロックギヤ５のカム突起１４がメモリーリング７のフリー部２０に乗り上がることによりシートバックのロックオフ状態となり、使用者が操作軸１２から手を離してもシートバックのロックオフ状態が保持され、ギヤプレート３の回転に伴ってメモリーリング７が図４に示したシートバックの前倒し位置まで回転する。
【００１９】
前倒し後の復帰作動については、図４に示した前倒し位置においてシートバックはロックオフ状態に保持されているので、シートバックを使用者が手で立上り方向に回転させることができ、ギヤプレート３の回転により円弧状突起部２４の前倒し側に対向する側の係合段部２９がメモリーリング７の円弧状凹部２５に当接するまでギヤプレート３が回転すると、ギヤプレート３の回転に伴ってメモリーカム８が回転して円弧状突起部２４の係合段部２９と円弧状凹部２４の係合端２６との間の間隙だけメモリーリング７に沿って移動し、図５に示したようにメモリーカム８の係合フック２２がメモリーリング７の係合段部２３に係合し、メモリーカム８がメモリーリング７の回転を規制して、ギヤプレート３と共にメモリーリング７とメモリーカム８とが立上り方向に回転することで、メモリーリング７のフリー部２０に対するロックギヤ５のカム突起１４の摩擦力及びメモリーリング７に対するメモリースプリング２８の現状位置に留めようとする付勢力のバラツキが抑えられ、ズレを生じさせないようにしてある。図６に示した基準位置直前において、ギヤプレート３の回転により、ロックギヤ５のカム突起１４がメモリーリング７のフリー部２０を至って段部２１に沿って移動するように、メモリーリング７が回転すると、ロックギヤ５外歯１１がギヤプレート３の内歯１０に噛合し、図７に示した基準位置でロックされる。シートバックが基準位置でロックされる際に、図７に示したようにロックギヤ５の外歯１１がギヤプレート３の内歯１０に噛合うと共に、レバープレート６が回動してその起立部１９がメモリーカム８の係合端１８を押圧すると、メモリーカム８が回動ピン２７を中心に回動してメモリーカム８の係合フック２２をメモリーリング７の係合端２３から外し、メモリーカム８の係合フック２２がメモリーリング７の係合端２３から外れると、メモリースプリング２８がメモリーリング７を回転させて、円弧状凹部２５の前倒し側の係合端２６をギヤプレート３の円弧状突起部２４の前倒し側の係合段部２９に当接し、立上り側の係合段部２９と係合端２６との間に遊びを形成し、メモリーリング７が前倒し側に復帰する。
【００２０】
本発明のリクライニング装置は基準位置から後倒し位置までは操作軸１２を作動させて所望の傾斜角度位置に調整でき、調整した所望の傾斜角度位置からは初段ロック位置を通して直接前倒し位置まで前倒しすることができ、前倒し後は上述した通り所定の基準位置まで復帰できるようになっている。
【図面の簡単な説明】
【００２１】
【図１】本発明によるリクライニング装置の分解斜視図である。
【図２】本発明によるリクライニング装置の初段ロック位置を示す縦断正面図である。
【図３】本発明によるリクライニング装置のロック時の主要構成部材の縦断正面図である。
【図４】本発明によるリクライニング装置の前倒し位置を示す縦断正面図である。
【図５】本発明によるリクライニング装置の前倒し後の初段ロック位置の通過時点を示す縦断正面図である。
【図６】本発明によるリクライニング装置の初段ロック位置通過後の基準位置直前の縦断正面図である。
【図７】本発明によるリクライニング装置の基準位置を示す縦断正面図である。
【符号の説明】
【００２２】
１          ベースプレート
２          カバーブラケット
３          ギヤプレート
４          カム
５          ロックギヤ
５ａ        可動ガイド
６          レバープレート
７          メモリーリング
８          メモリーカム
９          固定ガイド
１０        内歯
１１        外歯
１２        操作軸
１３        カム孔
１３ａ      カム孔
１４        カム突起
１４ａ      カム突起
１５        係合孔
１６        突起
１７        ロックスプリング
１８        突出部
１９        起立部
２０        フリー部
２１        段部
２２        係合フック
２３        係合段部
２４        円弧状突起部
２５        円弧状凹部
２６        係合端
２７        回動ピン
２８        メモリースプリング
２９        係合段部
【図１】
2010046395.tif 000003
【図２】
2010046395.tif 000004
【図３】
2010046395.tif 000005
【図４】
2010046395.tif 000006
【図５】
2010046395.tif 000007
【図６】
2010046395.tif 000008
【図７】
2010046395.tif 000009